(57)【要約】新たなセル追加の仕組みを提供するための無線通信システムは、移動局と、第１の搬送波周波数の第１のセルと、第２の搬送波周波数の第２のセルとを有する基地局とを有する。該移動局は、該第１のセルを用いて該基地局との無線通信が行われているときに、該第１のセルと該第２のセルとを用いて該無線通信を行うために必要な入力情報を入力する。該移動局は、該入力情報に基づいて生成される送信情報を送信する。該基地局は、該送信情報を受信する。
2017104644.tif 000002
【特許請求の範囲】
【請求項１】
無線通信システムであって、
移動局と、
第１の搬送波周波数の第１のセルと、第２の搬送波周波数の第２のセルとを有する基地局とを有し、
前記移動局は、
前記第１のセルを用いて前記基地局との無線通信が行われているときに、
前記第１のセルと前記第２のセルとを用いて前記無線通信を行うために必要な入力情報を入力し、
前記入力情報に基づいて生成される送信情報を送信する、
前記基地局は、
前記送信情報を受信する、
無線通信システム。
【請求項２】
第１の搬送波周波数の第１のセルを用いて基地局との無線通信が行われているときに、
前記第１のセルと、第２の搬送波周波数の第２のセルとを用いて前記無線通信を行うために必要な入力情報を入力するように構成されるユーザインタフェースと、
前記入力情報に基づいて生成される送信情報を送信するように構成される送信機と、
を有する移動局。
【請求項３】
前記入力情報が入力される前に、
前記ユーザインタフェースに、前記入力情報の入力を促すための情報が出力される、
請求項２に記載の移動局。
【請求項４】
前記第２のセルは、
少なくとも一つの候補となる候補セルの中から選択され、
前記選択が行われる前に、
前記ユーザインタフェースに、前記候補セルに関する情報が出力される、
請求項２または３に記載の移動局。
【請求項５】
前記候補セルにおいて送信される信号の品質を測定するための測定情報を受信するように構成される受信機を有する、
請求項４に記載の移動局。
【請求項６】
前記測定情報は、
前記基地局から前記移動局に送信される個別情報と
ダウンリンクにおいて送信される報知情報と
の少なくとも一方に含められる、
請求項５に記載の移動局。
【請求項７】
前記測定情報は、
前記候補セルにおいて送信される参照信号を発見するための情報を含む、
請求項５または６に記載の移動局。
【請求項８】
第１の搬送波周波数の第１のセルと、
第２の搬送波周波数の第２のセルと、
前記第１のセルを用いて移動局との無線通信が行われているときに、
前記移動局において入力され、前記第１のセルと前記第２のセルとを用いて前記無線通信を行うために必要な入力情報
に基づいて生成された送信情報を受信するように構成される受信機と、
を有する基地局。
【請求項９】
第１の搬送波周波数の第１のセルを用いて基地局との無線通信が行われているときに、
前記第１のセルと、第２の搬送波周波数を用いる第２のセルを前記無線通信に用いるために必要な入力情報を入力させるための表示を行うユーザインタフェース。
【請求項１０】
第１の搬送波周波数を用いる第１のセルを用いて基地局との無線通信が行われているときに、
前記第１のセルと、第２の搬送波周波数を用いる第２のセルを前記無線通信に用いるために必要な入力情報を入力させるための表示を行う、
表示方法。
【発明の詳細な説明】
【技術分野】
【０００１】
本開示は、無線通信システム、移動局、基地局、ユーザインタフェース、表示方法に関する。
【背景技術】
【０００２】
特許文献１によれば、ＬＴＥ（Long Term Evolution）―Ａｄｖａｎｃｅｄ方式の移動通信システムでは、移動局ＵＥ（User Equipment）が、ＰＣＣ（Primary Component Carrier）及びＰＣＣと搬送波周波数が異なる１つ又は複数のＳＣＣ（Secondary Component Carrier）を用いて、ＣＡ（Carrier  Aggregation）通信を行うことができる。また、ＬＴＥ―Ａｄｖａｎｃｅｄ方式の移動通信システムでは、ＣＡ通信を行っている移動局ＵＥに対して、ＰＣＣ内サービングセルであるＰｃｅｌｌ（Primary cell）及びＳＣＣ内サービングセルであるＳｃｅｌｌ（Secondary cell）を設定することができる。【０００３】
特許文献２では、無線基地局ｅＮＢ（evolved Node B）が、移動局ＵＥに対して、「Ｍｅａｓｕｒｅｍｅｎｔ  Ｃｏｎｆｉｇｕｒａｔｉｏｎ」を設定する。移動局ＵＥは、かかる「Ｍｅａｓｕｒｅｍｅｎｔ  Ｃｏｎｆｉｇｕｒａｔｉｏｎ」に基づいて測定処理を行い、測定結果を無線基地局ｅＮＢに対して報告する。無線基地局ｅＮＢは、かかる測定報告によって特定されるセルを、ＣＡのＳｃｅｌｌとして追加する。
【先行技術文献】
【特許文献】
【０００４】
【特許文献１】特開２０１２−５０８９号公報
【特許文献２】特開２０１４−１３５５９８号公報
【発明の概要】
【発明が解決しようとする課題】
【０００５】
特許文献１及び２において、無線基地局の主導によるセルの追加が行われる。【０００６】
しかし、このセル追加は、移動局の状況によっては、適切でない可能性がある。例えば、移動局が移動中でありセルのカバレッジエリアに留まる時間が短い場合は、このセルを追加することは適切ではない可能性がある。また、移動局が停止しているまたは低速で移動している等の理由によりセルのカバレッジエリアに一定以上の期間留まる場合、このセルを追加することが適切である可能性がある。【０００７】
そこで、例示的な実施形態の目的の１つは、新たなセル追加の仕組みを提供することにある。なお、この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００８】
例示的な実施形態の無線通信システムは、移動局と、第１の搬送波周波数の第１のセルと、第２の搬送波周波数の第２のセルとを有する基地局とを有する。該移動局は、該第１のセルを用いて該基地局との無線通信が行われているときに、該第１のセルと該第２のセルとを用いて該無線通信を行うために必要な入力情報を入力する。該移動局は、該入力情報に基づいて生成される送信情報を送信する。該基地局は、該送信情報を受信する。【０００９】
他の例示的な実施形態の移動局は、ユーザインタフェースと送信機とを有する。ユーザインタフェースは、第１の搬送波周波数の第１のセルを用いて基地局との無線通信が行われているときに、該第１のセルと、第２の搬送波周波数の第２のセルとを用いて該無線通信を行うために必要な入力情報を入力するように構成されている。送信機は、該入力情報に基づいて生成される送信情報を送信するように構成されている。【００１０】
他の例示的な実施形態の基地局は、第１の搬送波周波数の第１のセルと、第２の搬送波周波数の第２のセルと、受信機とを有する。受信機は、送信情報を受信するように構成される。送信情報は、該第１のセルを用いて移動局との無線通信が行われているときに、該移動局において入力され、該第１のセルと該第２のセルとを用いて該無線通信を行うために必要な入力情報に基づいて生成される。【００１１】
他の例示的な実施形態のユーザインタフェースは、第１の搬送波周波数の第１のセルを用いて基地局との無線通信が行われているときに、該第１のセルと、第２の搬送波周波数を用いる第２のセルを該無線通信に用いるために必要な入力情報を入力させるための表示を行う。【００１２】
他の例示的な実施形態の表示方法は、第１の搬送波周波数を用いる第１のセルを用いて基地局との無線通信が行われているときに、該第１のセルと、第２の搬送波周波数を用いる第２のセルを該無線通信に用いるために必要な入力情報を入力させるための表示を行う。
【発明の効果】
【００１３】
例示的な実施形態によれば、新たなセル追加の仕組みを提供することが可能となる。
【図面の簡単な説明】
【００１４】
【図１】第１の例示的な実施形態の無線通信システムを示す。
【図２】第１の例示的な実施形態の移動局を示す。
【図３】第１の例示的な実施形態の基地局を示す。
【図４】第１の例示的な実施形態の動作を示す。
【図５】第１の例示的な実施形態における参照信号の一例を示す。
【図６】第１の例示的な実施形態の移動局の出力デバイスにおける表示例１を示す。
【図７】第１の例示的な実施形態の移動局の出力デバイスにおける表示例２を示す。
【図８】第１の例示的な実施形態の移動局の出力デバイスにおける表示例３を示す。
【図９】第２の例示的な実施形態の動作を示す。
【図１０】第３の例示的な実施形態の動作を示す。
【図１１】第４の例示的な実施形態の移動局を示す。
【図１２】第４の例示的な実施形態の基地局を示す。
【発明を実施するための形態】
【００１５】
例示的な実施形態（exemplary embodiment）について、図面を参照して詳細に説明する。各図面において、同一又は対応する要素には同一の符号が付されており、説明の明確化のため、必要に応じて重複説明は省略される。以下に説明される複数の例示的な実施形態は、独立に実施されることもできるし、適宜組み合わせて実施されることもできる。
【００１６】
また、本明細書及び図面において、実質的に同一の機能構成を有する複数の構成要素を、同一の符号の後に異なるアルファベットを付して区別する場合もある。
【００１７】
＜はじめに＞
ＬＴＥ−Ａｄｖａｎｃｅｄにおいて、Ｅ−ＵＴＲＡＮ（Evolved Universal Terrestrial Access Network）が複数種類の基地局によって構成される。これら基地局が形成するセル(Cell)によって、ヘテロジニアスネットワーク（HetNet: Heterogeneous Network)が形成される。
【００１８】
ＨｅｔＮｅｔでは、通常の基地局が形成するマクロセル（Macro Cell）に、小型基地局が形成するピコセル（Pico Cell）、スモールセル（Small Cell）、またはフェムトセル（femto Cell）などがオーバーレイされる。
【００１９】
このＨｅｔＮｅｔにおいて、ＣＡが用いられる。ＣＡは、移動局（ＵＥ：User Equipment）のＵ（User）−Ｐｌａｎｅのスループット向上を目的としている。
【００２０】
ＣＡでは、搬送波周波数が異なるがカバレッジが重複しているようなＨｅｔＮｅｔ環境において、基地局（eNB）内の(Intra eNB内の)複数のセル（cell）を束ねて、同時にＵ−Ｐｌａｎｅの通信を行う。
【００２１】
束ねられた複数セルは、Ｐセル(Primary Cell)とＳセル(Secondary Cell)を含む。ここで、Ｐセルは、Ｕ−ＰｌａｎｅやＣ(Control)−Ｐｌａｎｅの通信を行うセルである。Ｓセル(Secondary Cell)は、Ｕ−Ｐｌａｎｅの通信を行うセルである。
【００２２】
ＣＡにおいて、ｅＮＢがＳセルを追加したい周波数の測定（Measurement）をＵＥへ指示し、ｅＮＢが、ＵＥからの測定結果の品質を得て、Ｓセルを決定する。
【００２３】
＜第１の例示的な実施形態＞
図１は、第１の例示的な実施形態の無線通信システムを示す。
【００２４】
図１に示される無線通信システムは、少なくとも一つの移動局１と、基地局２とを有する。また、基地局２は、Ｐセル２１と少なくとも一つのＳセル２２とを有する。Ｐセル２１とＳセル２２は、基地局２によって構成される。
【００２５】
ここで、Ｓセル２２は、免許が必要な周波数帯域だけでなく免許が不要な周波数帯域に関連してもよい。例えば、５ＧＨｚ帯は、特定出力以下なら免許が不要な周波数帯（アンライセンスバンド）である。この免許不要な帯域を利用することによってＬＴＥ通信を行う方式が、ＬＡＡ（Licensed Assisted Access using LTE）と呼ばれている。以降の説明では、免許不要な帯域を用いるセルが、ＬＡＡセルとして説明される。
【００２６】
図１の例において、Ｐセル２１には、免許が必要な周波数帯域が用いられる。Ｓセル２２には、ＬＡＡセルが用いられる。これによって、ＤＬ（ダウンリンク）のＣＡが行われ、スループットの向上を図ることができる。ただし、例えば５ＧＨｚ帯は、Ｗｉ−Ｆｉ（無線ＬＡＮ）も使用される。このように同じ周波数帯域に異なるシステムが存在する場合、異なるシステムを共存させるための仕組みが用いられる。
【００２７】
一つの仕組みが、ＬＢＴ（Listen Before Talk）機能である。ＬＢＴ機能とは、ｅＮＢが何かしらの信号を送信する前に、信号送信のチャネルに対して、他のｅＮＢやＷｉＦｉ(登録商標)で使用や未使用を確認するために、ＣＣＡ（clear channel assessment）を実施することである。ＣＣＡでは、少なくとも電力検出（energy detection）が行われ、当該チャネルの使用や未使用が判定される。ＬＢＴ後に、未使用のチャネルがあれば、例えば、ＬＴＥで規定しているダウンリンクのＰＤＳＣＨ（Physical Downlink Shared Channel）、ＰＤＣＣＨ（Physical Downlink Control Channel）、ＰＳＳ（Primary synchronization signal）、ＳＳＳ（Secondary synchronization signal）、ＲＳ（Reference Signal）等の送信を行う。ただし、送信の際にも各国の法律によって、連続送信の期間(Max Burst Length)が規制されている。例えば、日本において、ＩＥＥＥ（Institute of Electrical and Electronics Engineers）８０２．１１ａ／ｎ／ａｃの場合、連続送信の期間は４ｍｓ未満である。
【００２８】
他の仕組みの一つは、RRM measurement機能である。RRM measurement機能とは、特定セルにおける受信品質の測定（Measurement）を行う方法である。具体的には、ＤＬの参照信号（RS: Reference Signal）を使用して、受信品質の測定（Measurement）を行う。前述のＬＢＴ機能での説明のとおり、ＲＳ送信前にチャネルが未使用であれば送信し、ＲＳを送信する期間も限られている。これを実現する方法として、ＤＲＳが用いられる。ＤＲＳ（Discovery Reference Signals）は、例えば、スモールセルをｏｎまたはｏｆｆするために用いられる参照信号である。ＤＲＳは、一定期間の間のみＰＳＳ、ＳＳＳ、ＲＳ（ＣＲＳ、ＣＳＩ−ＲＳ）送信を行うものである。
【００２９】
図２は、第１の例示的な実施形態の移動局を示す。
【００３０】
移動局１は、受信機１１とユーザインタフェース１２とプロセッサ１３と送信機１４とメモリ１５とを有する。
【００３１】
受信機１１は、基地局２から、セルにおいて送信される信号の品質を測定するための測定情報を受信可能に構成される。
【００３２】
ユーザインタフェース１２は、プロセッサ１３からの制御信号に基づき、入力情報の入力または出力情報の出力を行うように構成される。なお、ユーザインタフェース１２は、グラフィカルユーザインタフェース（GUI）であってもよい。
【００３３】
プロセッサ１３は、移動局１に含まれる各種構成を制御するように構成される。
【００３４】
送信機１４は、移動局１が追加を希望するセルの情報や、当該セルにおいて送信される信号を測定した結果である測定結果を、基地局２に送信するように構成される。
【００３５】
メモリ１５は、基地局２から受信した測定情報、基地局２に送信するため情報、移動局１の各種構成間でやりとりされる情報を記憶するように構成される。
【００３６】
図３は、第１の例示的な実施形態の基地局を示す。
【００３７】
基地局２は、送信機２３、メモリ２４、プロセッサ２５、受信機２６を有する。
【００３８】
送信機２３は、移動局に対して、セルにおいて送信される信号の品質を測定するための測定情報を送信可能に構成される。
【００３９】
メモリ２４は、移動局１に送信する測定情報、移動局１から受信する情報、基地局２の各種構成間でやりとりされる情報を記憶するように構成される。
【００４０】
プロセッサ２５は、基地局２に含まれる各種構成を制御するように構成される。また、プロセッサ２５は、基地局２が移動局１から受信する情報に基づき、セルの追加を行うように構成される。
【００４１】
受信機２６は、移動局１から、移動局１が希望したセルの情報や、当該セルにおいて送信される信号を測定した結果である測定結果を受信するように構成される。
【００４２】
なお、基地局２は、基地局２に関連または隣接するＷｉＦｉアクセスポイントとの連携を行う連携機能を有してもよい。
【００４３】
図４は、第１の例示的な実施形態の動作を示す。図４に関する説明をシンプルにするため、Ｓセル２２ＡおよびＳセル２２ＢはＬＡＡセルである、と仮定する。
【００４４】
Ｓ１０１において、基地局２（ｅＮＢ２）は、セルにおいて送信される信号の品質を測定するための測定情報を移動局１に対して、送信する。測定情報は、Ｐセル２１においてブロードキャストされる報知情報に含まれ得る。報知情報は、Ｐセルに在圏する少なくとも一つの移動局１Ａ、１Ｂ・・・１Ｚに対して、送信される。報知情報は、システム情報（System information）であってもよい。システム情報は、所定の周期で送信され得る。
【００４５】
ここで、測定情報は、セルを識別する識別情報（Cell ID）と、当該セルにおいて送信される信号の品質を測定するための制御情報との少なくとも一方を含む。測定情報は、複数の識別情報と、それぞれの識別情報に関連する制御情報とを含んでもよい。
【００４６】
ここで、制御情報は、以下の少なくとも一つを含み得る。
・同期信号（例えば、ＰＳＳ、ＳＳＳ）に関する情報
・参照信号（セル固有参照信号（ＣＲＳ(Cell Specific Reference Signal)）、チャネル状態情報参照信号（ＣＳＩ(Channel State Information)−ＲＳ)）に関する情報
・ＤＲＳ（Discovery Reference Signals）に関する情報
ここで、Ｓセル２２は、Ｐセル２１に対して、Ｓセルとして追加可能な少なくとも一つのセルである。図４の例において、測定情報は、Ｐセル２１に追加可能なＳセル２２ＡとＳセル２２Ｂに関する識別情報と制御情報とを含む。Ｓセル２２ＡとＳセル２２ＢはＬＡＡセルであるため、測定情報は、Ｓセル２２に関するＤＲＳのリストを含む。例えば、ＤＲＳのリストには、Ｓセル２２Ａの識別情報（Cell ID）とＳセル２２Ａに対応するＤＲＳに関する情報の組合せと、Ｓセル２２Ｂの識別情報とＳセル２２Ｂに対応するＤＲＳに関する情報の組合せとが、含まれる。
【００４７】
なお、参照信号ＤＲＳの詳細は、図５に示される。
【００４８】
図５は、第１の例示的な実施形態における参照信号の一例を示す。
ＤＲＳについて、特定のサブフレームが、受信品質測定用の区間（送信期間）として設定される。ＤＲＳにおいて、周期的に送信される区間以外の区間は、信号の送信が停止されている。参照信号は、ＰＳＳ、ＳＳＳ、ＣＲＳから構成される。ここで、参照信号は、ＣＳＩ−ＲＳを含んでもよい。
【００４９】
上述したシステム情報に含まれる「ＤＲＳに関する情報」は、この参照信号の送信周期、送信開始のタイミング（基準サブフレームからの送信タイミングオフセットともいう）、送信期間の少なくとも一つを含む。
【００５０】
Ｓ１０２において、プロセッサ１３は所定のトリガを検出する。検出されたトリガに応じて、Ｓ１０３以降の処理が開始される。ここで、トリガとは、例えば、所定のサービスに関するトラフィックが発生したことである。
【００５１】
Ｓ１０３において、プロセッサ１３は、ユーザインタフェース１２に対して、ユーザインタフェース１２を制御するための制御信号を送信する。
【００５２】
ユーザインタフェース１２は、この制御信号に基づき、出力情報を出力する。この例において、出力情報は、ＬＡＡのセルを使用するか否かの判断を求める表示（要求有無の表示）情報である。この表示の例が図６に示される。図６の例では、「ＬＡＡセルを使用しますか？」というコメントが表示されている。図６の例のように、出力情報は、ＬＡＡセルを使用する際の推奨環境を示す表示を含んでもよい。図６の例では、「移動中でない場合を推奨します」というコメントが表示されている。
【００５３】
Ｓ１０４において、入力情報として、要望情報が、ユーザインタフェース１２に入力される。要望情報は、ＬＡＡセルを使用する要望の有無に関する情報である。
【００５４】
Ｓ１０５において、入力された要望情報が、プロセッサ１３に送信される。
【００５５】
Ｓ１０６において、要望情報がＬＡＡセルを使用する要望があることを示す場合、プロセッサ１３は、Ｓ１０１で受信した測定情報に基づき、ＬＡＡセルにて送信される送信信号を特定する。例えば、「ＤＲＳに関する情報」に基づき、ＬＡＡセルで送信される参照信号（Reference Signal)の送信タイミングが特定される。
【００５６】
Ｓ１０７において、Ｓ１０６にて特定された送信信号について、プロセッサ１３は、当該送信信号の品質を測定する。本例において、Ｓセル２２ＡおよびＳセル２２Ｂにて送信される参照信号の品質が測定される。
【００５７】
Ｓ１０８において、プロセッサ１３は、ユーザインタフェース１２に対して、ユーザインタフェース１２を制御するための制御信号を送信する。
【００５８】
ユーザインタフェース１２は、この制御信号に基づき、出力情報を出力する。この例において、出力情報は、移動局１が使用する候補となる候補のＬＡＡセルを選択させるための選択画面の表示情報である。この表示例が図７に示される。図７の例では、候補セルと、当該候補セルについてＳ１０７にて測定された測定結果とが表示される（Ｓ１０８）。この表示は、移動局１の使用者に対して、セル選択のための情報を提供できる。
【００５９】
Ｓ１０９において、入力情報として、セル選択情報がユーザインタフェース１２に入力される。セル選択情報は、候補セルから選択されたセルに関する情報である。
【００６０】
Ｓ１１０において、入力されたセル選択情報が、プロセッサ１３に送信される。
【００６１】
Ｓ１１１において、プロセッサ１３は、入力されたセル選択情報に基づき送信情報を生成（構成）する。例えば、ユーザインタフェース１２に入力された入力情報に基づき、移動局１がＳセルとして追加を希望するセルに関する情報が送信情報に含められる。送信機１４は、セルに関する情報を含む送信情報を基地局２に送信する。送信情報には、入力情報に基づき含められたセルの識別情報（セルＩＤ）、当該セルに関する測定結果、および、当該セルをＳセルとして追加を希望する旨の情報の少なくとも一つを含み得る。
【００６２】
Ｓ１１２において、基地局２は、移動局１から受信した送信情報に基づき、セル追加を実行する。本例の場合、移動局１の入力情報に基づきセルの追加を希望するセルをＳセルとして追加する処理が、基地局２において実施される。ここで、この追加する処理は、例えば、RRC Connection Reconfiguration手順を用いたSCell addition手順にて実施される。
【００６３】
なお、Ｓ１０９において入力されるセル選択情報は、候補セルから選択された複数のセルに関する情報であってもよい。この場合、プロセッサ１３は、当該複数のセルがＳセルとして追加を希望するセルであることを示す情報を送信情報に含めてもよい。Ｓ１１１において送信される送信情報は、複数のセルに関する識別情報と、当該複数のセルに関する測定結果とを含んでもよい。これによって、基地局２は、移動局１が追加を希望する複数のセルの中のあるセルが輻輳している場合、そのセル以外のセルをＳセルとして追加できる。例えば、Ｓセル２２ＡとＳセル２２Ｂとを移動局がセル追加を希望し、かつ、Ｓセル２２Ａが輻輳状態の場合に、たとえＳセル２２Ｂの測定結果がＳセル２２Ａより悪くても、Ｓセル２２ＢがＳセルとして追加され得る。これによって、基地局２は、移動局１が希望した複数のセルの中から、より適切なセルを追加する事ができる。
【００６４】
Ｓ１０７において、ＬＡＡセルだけでなくＷｉＦｉに関する測定が、行われてもよい。例えば、接続可能なＷｉＦｉが検出された場合、図８の表示例のように、ＬＡＡセルとＷｉＦｉとのリストが表示され得る。これによって、Ｓ１０９におけるセル選択の候補セルの選択肢の幅を広げることが、可能となる。
【００６５】
Ｓ１０３〜Ｓ１０５の入力処理と、Ｓ１０８〜Ｓ１１０に関する入力処理は、事前に設定（Preconfiguration）することで、スキップする事が可能である。例えば、図６において常にＬＡＡセルを使用し、図７において最もよい品質のＬＡＡセルを選択するという設定(Preconfiguration)が行われる。この場合、Ｓ１０３〜Ｓ１０５の入力処理と、Ｓ１０８〜Ｓ１１０の入力処理がスキップできる。結果として、ユーザインタフェース１２において、移動局１の使用者に確認するための手順が短縮され得る。
【００６６】
また、例えば、地理的に常に同じ位置にいる移動局１や、移動速度に変化が少ない移動局１であれば、このような設定(Preconfiguration)がされてもよい。
【００６７】
Ｓ１０１において送信される測定情報の制御情報には、ＤＲＳに関する情報が含まれた。この制御情報には、ＬＡＡセル以外のセルの情報を含めてもよい。例えば、ＬＡＡセルと類似したlicensed frequency bandやunlicensed frequency bandの高周波数帯のセルに関する情報を含めてもよい。また、測定情報は、例えば、ＷｉＦｉに関する情報を含んでもよい。
【００６８】
上記Ｓ１０２において、Ｓ１０３以降の処理のトリガとして、所定のサービスに関するトラフィックが発生したことを検出することが示された。
【００６９】
サービスとは、移動局１が使用する所定のアプリケーションによるサービスであってもよい。アプリケーションは、例えば、動画再生、ゲーム、テレビ電話、その他所定のスループットを必要とするサービスに関連するものであってもよい。
【００７０】
アプリケーションに関連するトラフィックの閾値が設定されてもよい。この閾値は、アプリケーション毎に異なってもよい。この閾値を超えるトラフィックが検出された場合にのみ、トリガが検出されてもよい。
【００７１】
移動局１に所定のセンサを設け、当該センサによってトリガが検出されてもよい。例えば、移動局１に加速度センサを設け、移動局１が減速または停止していることを検出した場合に、トリガが検出されてもよい。
【００７２】
移動局１が他の移動局の通信を中継する中継装置として動作している場合、中継する移動局の数や移動局の種類に応じて、トリガが検出されてもよい。例えば、移動局の数が所定の数より多い場合、トリガが検出されてもよい。また、接続する移動局の種類がゲームのための移動局や動画再生のための移動局である場合、トリガが検出されてもよい。
【００７３】
ユーザからの入力される他の情報に基づき、トリガが検出されてもよい。例えば、所定のアプリケーションを起動する（立ち上げる）ための情報が、この他の情報とされてもよい。この場合、アプリを起動するための入力がなされると、Ｓ１０３以降のプロセスが実行される。
【００７４】
Ｓ１０３またはＳ１０８において、ユーザインタフェース１２には、セルに対応する料金情報（課金情報）が表示されてもよい。例えば、図６のＬＡＡセルの使用可否とともに、ＬＡＡセルに関する料金の情報が表示されうる。また、例えば、図７に表示されるＬＡＡセル毎に料金の情報が表示されうる。また、例えば、図８のＬＡＡセルリスト及びＷｉＦｉリスト毎に料金の情報が表示されうる。これによって、セルの種別やセルにおける測定結果だけでなく料金に基づきより適切なセルが選択されうる。
【００７５】
Ｓ１０３またはＳ１０８において、ユーザインタフェース１２には、マクロセル、ピコセル、スモールセル、フェムトセルなどセルサイズに関連する種別情報が表示されてもよい。セルサイズを考慮して、移動局１の移動範囲が定められてもよい。
【００７６】
Ｓ１０３またはＳ１０８において、ユーザインタフェース１２には、セルを使用する移動局の数が表示されてもよい。
【００７７】
Ｓ１０３またはＳ１０８において、ユーザインタフェース１２には、セルの輻輳状況が表示されてもよい。
【００７８】
Ｓ１０３またはＳ１０８において、ユーザインタフェース１２には、移動局１がセルを追加した場合の移動局１のスループットの予測値が表示されてもよい。表示される予測値には、現在のスループットと予測されるスループットとの差に関する情報が表示されてもよい。
【００７９】
Ｓ１０３またはＳ１０８において、ユーザインタフェース１２には、セルに対して必要な認証情報の有無に関する情報が表示されてもよい。例えば、セルを使用するためにパスワードや所定の認証処理が必要であること、認証処理が不要であること、などが表示されうる。
【００８０】
Ｓ１０３またはＳ１０８におけるユーザインタフェース１２の表示は、セルの種別に応じて変化させてもよい。
【００８１】
Ｓ１０３における図６の表示例では「ＬＡＡセルを使用しますか？」というコメントが表示されているが、表示例はこれに限られない。例えば、ＬＡＡセル以外のセルがＳセルとして用いられる場合は、「追加セルの使用を希望しますか」などのコメントが表示されてもよい。このコメントの他の例は、例えば、「新たなセルを使用しますか」、「キャリアアグリゲーションを行いますか」、「通信速度を速くしたいですか」、「しばらく移動しませんか」、「しばらくこの場に留まりますか」である。
【００８２】
上記実施形態によれば、移動局１における入力情報に応じたセルを、基地局２が追加することができる。例えば、移動局１の移動状況に応じて、Ｓセルを追加する事ができる。この結果、移動局１がすぐにカバレッジエリアから外れるようなセルが追加されることを避けることができる。また、例えば、移動局１が自律的に、追加を要望するセルに関する情報を、基地局２に送信できる。
【００８３】
＜第２の例示的な実施形態＞
上記第１の例示的な実施形態では、移動局１が所定のトリガを契機に、移動局１が自律的に、セルにおいて送信される信号の品質測定を行った。
【００８４】
第２の例示的な実施形態では、基地局２からの測定指示を契機に、移動局１が品質測定を行う。この品質測定の測定結果は、移動局1から基地局２に送信される。
【００８５】
ここで、第２の例示的な実施形態の構成は、第１の例示的な実施形態と同様であるため、説明が省略される。
【００８６】
図９は、第２の例示的な実施形態の動作を示す。
【００８７】
Ｓ２０１において、基地局２は、個別情報を送信する。
【００８８】
個別情報は、上記Ｓ１０１における測定情報を含み得る。基地局２は、Ｓセルを追加するタイミングを判定し、判定されたタイミングで、特定の移動局１に対して個別情報を送信する。
【００８９】
個別情報は、移動局１が基地局２に対して測定結果を送信する条件（またはイベント）に関する情報が含まれてもよい。
【００９０】
個別情報は、RRC Connection Reconfigurationメッセージによって送信されてもよい。
【００９１】
Ｓ２０２において、移動局１は、受信した個別情報に対する応答情報を送信する。応答情報は、RRC Connection Reconfiguration Completeメッセージにて送信されてもよい。
【００９２】
Ｓ２０３において、上述した第１の例示的な実施形態のＳ１０３からＳ１１０と同様の処理が実行される。
【００９３】
Ｓ２０４において、移動局１が個別情報に基づき測定したセルの測定報告が、基地局２に送信される。測定報告は、Measurement Reportメッセージにて送信される。
【００９４】
測定報告は、Ｓ１１１にて送信される送信情報であってもよい。
【００９５】
Ｓ２０１の個別情報は、スキップフラグを含んでもよい。
【００９６】
スキップフラグは、移動局１が、Ｓ１０３〜Ｓ１０５の処理をスキップすることを可能にする。また、スキップフラグは、移動局１が、Ｓ１０６〜Ｓ１１０の処理をスキップすることを可能にしてもよい。また、スキップフラグは、移動局１が、Ｓ１０３〜Ｓ１０５及びＳ１０６〜Ｓ１１０の処理をスキップすることを可能にしてもよい。
【００９７】
例えば、Ｐセル２１とＳセル２２とが屋内（Indoor）に配置されている場合、基地局２は、移動局１が「地理的に常に同じ位置にいる移動局」であると判断する。この場合、基地局２は、個別情報にスキップフラグを含めることができる。例えば、スキップフラグを含む個別情報を移動局１が受信すると、移動局１は、スキップフラグに基づいて、Ｓ１０３からＳ１０５の処理をスキップする。このように、移動局１は、個別情報にスキップフラグが含まれているかどうかの判断を行うことができる。
【００９８】
また、例えば、移動局１が過去にＳセルとして使用（追加）したセルに関する履歴情報に応じて、基地局２がスキップフラグを含めるか否かを決定してもよい。履歴情報には、セルの識別情報と、当該セルを追加していた時間とが含まれてもよい。基地局２は、例えば、移動局１が過去にＳセルを追加した時に、当該Ｓセルの品質を測定させ、一定品質以下となるときに基地局２へ報告させるように、移動局１を制御する。この報告が基地局２に到着するまでの時間のデータサンプルをある一定回数分、基地局２が取得した後、それらの時間の平均値が閾値以上であれば、基地局２は、スキップフラグを含めてもよい。この場合、スキップフラグによって、Ｓ１０６〜Ｓ１１０の処理をスキップできる。また、スキップフラグによって、Ｓ１０３〜Ｓ１０５及びＳ１０６〜Ｓ１１０の処理がスキップされてもよい。
【００９９】
上述のように、個別情報にスキップフラグが含まれている場合、Ｓ１０９の選択情報の入力に基づいてＳ１１１の送信情報が生成され得る。
【０１００】
また、個別情報にスキップフラグが含まれている場合、Ｓ１１１の送信情報は、Ｓ１０４の要望情報の入力に基づいて生成されうる。
【０１０１】
また、個別情報にスキップフラグが含まれている場合、Ｓ１０４とＳ１０９の入力処理がなされず、Ｓ１０４とＳ１０９の入力処理に基づかず、予め定められた情報に実施されたＳ１０７の情報等に基づき、送信情報が生成され得る。
【０１０２】
Ｓ２０１の個別情報には、Ｓ１０３のユーザインタフェース１２を制御する制御信号を送信するためのトリガ情報を含んでもよい。例えば、Ｓ２０１の個別情報がこのトリガ情報を含む場合、移動局１は個別情報に含まれるトリガ情報に基づいて、Ｓ１０３のプロセスが実行され、ユーザインタフェース１２に所定の表示情報が出力される。
【０１０３】
Ｓ２０１は、基地局２の所定のトリガに基づき、実行されてもよい。例えば、基地局２がＰセル２１配下の移動局の数に基づき、所定のトリガを検出し得る。例えば、Ｐセル２１配下の移動局の数が、所定の数を超えた場合に、該トリガが検出されてもよい。また、例えば、Ｐセル２１におけるトラフィックの状況に応じて、トリガが検出され得る。例えば、Ｐセル２１におけるトラフィックが所定の値を超えた場合に、該トリガが検出されてもよい。
【０１０４】
上記実施形態によれば、基地局２からの測定指示（個別情報）を契機に、移動局１が送信情報を生成し、送信することができる。また、個別情報に含まれるスキップフラグに基づいて、移動局１における入力処理をスキップできる。
【０１０５】
＜第３の例示的な実施形態＞
第３の例示的な実施形態は、移動局１が基地局間を移動するハンドオーバ処理に関連する。
【０１０６】
図１０は、第３の例示的な実施形態の動作を示す。
【０１０７】
図１０の例では、移動局１が、移動元の基地局２００から移動先の基地局３００にハンドオーバする。具体的には、移動局１の接続先が基地局２００のＰセルから基地局３００のＰセルに変更される。
【０１０８】
ここで、基地局２００（ソース基地局）及び基地局３００（ターゲット基地局）は、図３に示された基地局２の構成に加えて、ハンドオーバを実行するための構成を有する。例えば、プロセッサ２５がハンドオーバに関連する制御情報やデータを処理することが可能に構成される。
【０１０９】
Ｓ３０１において、基地局２００のＰセルに在圏する移動局１に、Measurement Controlメッセージを送信する。
【０１１０】
Ｓ３０２において、移動局１は、Measurement Reportメッセージを基地局２００に送信する。
【０１１１】
Ｓ３０３において、基地局２００は、Measurement Reportメッセージに基づいて、移動局１をハンドオーバするための決定を行う。
【０１１２】
Ｓ３０４において、基地局２００は、Handover Requestメッセージをターゲット基地局３００に送信する。Handover Requestメッセージには、ターゲット基地局３００がハンドオーバを準備するために必要な情報が含まれる。
【０１１３】
Ｓ３０５において、ターゲット基地局３００は、Handover Request Acknowledgeメッセージを、ソース基地局２００に送信する。このHandover Request Acknowledgeメッセージには、上述した実施形態の測定情報に相当する情報が含まれる。例えば、
上記の報知関連情報として、ＤＲＳに関する情報が含まれる。
【０１１４】
Ｓ３０６において、ソース基地局２００は、RRC Connection Reconfigurationメッセージを受信する。このメッセージには、Ｓ３０５に含まれる測定情報に相当する情報が含まれる。
【０１１５】
Ｓ３０７において、SN Status Transfer手順において、SN Status Transferメッセージが、ソース基地局２００からターゲット基地局に送信される。
【０１１６】
Ｓ３０８において、移動局１は、RRC Connection Reconfiguration Completeメッセージを、ハンドーバの確認のため、ターゲット基地局３００に送信する。
【０１１７】
Ｓ３０９において、UE Context Release手順が実施される。ここで、ソース基地局２００におけるリソースの解放が行われる。
【０１１８】
Ｓ３１０において、第１の例示的な実施形態のＳ１０３〜Ｓ１１１と同様の処理が実際される。
【０１１９】
Ｓ３１１において、第１の例示的な実施形態のＳ１１２と同様の処理が実施される。
【０１２０】
なお、Ｓ３０９の処理は、Ｓ３１０と並行して処理されてもよい。
【０１２１】
本実施形態によれば、ターゲット基地局からソース基地局に送信されるハンドオーバに必要な情報に、第１の例示的な実施形態の測定情報を含めることによって、ハンドオーバ実行後(Handover execution)に、移動局は、この測定情報に基づいた送信情報の生成し、送信することができる。
【０１２２】
＜第４の例示的な実施形態＞
図１１は、第４の例示的な実施形態の移動局を示す。
【０１２３】
移動局１００は、ユーザインタフェース１０１と送信機１０２とを有する。
【０１２４】
ユーザインタフェース１０１は、第１の搬送波周波数の第１のセルを用いて基地局との無線通信が行われているときに、第１のセルと、第２の搬送波周波数の第２のセルとを用いて該無線通信を行うために必要な入力情報を入力するように構成されている。
【０１２５】
送信機１０２は、該入力情報に基づいて生成される送信情報を送信するように構成されている。
【０１２６】
図１２は、第４の例示的な実施形態の基地局を示す。
【０１２７】
基地局２００は、第１のセル２０１と第２のセル２０２と受信機２０３とを有する。
【０１２８】
第１のセル２０１には、第１の搬送波周波数が用いられる。
【０１２９】
第２のセル２０２には、第２の搬送波周波数が用いられる。
【０１３０】
受信機２０３は、該第１のセルを用いて移動局との無線通信が行われているときに、該移動局において入力され、前記第１のセルと前記第２のセルとを用いて前記無線通信を行うために必要な入力情報に基づいて生成された送信情報を受信するように構成されている。
【０１３１】
＜その他の例示的な実施形態＞
上記において、入力情報に基づき送信情報が生成されている。送信情報の代わりに、入力情報そのままが送信されてもよい。入力情報が、送信情報の一つの情報要素として含められてもよい。入力情報を所定の情報または所定の形式に変更し、変更された情報を送信情報に含められてもよい。
【０１３２】
上述したユーザインタフェース１２に入力される入力情報は、移動局の移動に関する情報ともいう。なお、移動情報は、第２のセルのカバレッジエリアに所定時間とどまることを示す情報であってもよい。また、移動情報は、第２のセルのカバレッジエリアの中から所定時間でないことを示す情報であってもよい。
【０１３３】
上出した測定結果とは、所定のセルにおいて送信される信号を測定した結果である測定結果は、受信品質または受信信号強度に基づいて生成されてもよい。
【０１３４】
例えば、受信品質とは、参照信号の受信品質を示すReference Signal Received Quality (RSRQ)であってもよい。また例えば、受信信号強度とは、Reference Signal Received Power(RSRP)であってもよい。
【０１３５】
上記において、ユーザインタフェース１２はグラフィカルユーザインタフェース（GUI）である例が示された。具体的には、図６乃至８の例では、タッチパネルによる入力が示されたが、これに限定されない。例えば、キーボード、マウス、コントローラ、ペンタブレット、マイク等であってもよい。例えば、マイクの場合、マイクは音声による入力を行う。また、図６乃至８の例において、ユーザインタフェース１２の出力の例として、移動局1のディスプレイへの表示がしめされたが、これに限定されない。例えば、音声や音楽等による出力であってもよい。
【０１３６】
ユーザインタフェース１２は入力及び出力を行うように構成されたが、入力機能（入力装置）と出力機能（出力装置）ごとに別体として構成されてもよい。
【０１３７】
主セルに加えて、副セルを使って通信をするような技術であれば、ＬＴＥのＣＡに限定されない。例えば、無線ＬＡＮ技術のチャネルボンディング技術にも適用できる。チャネルボンディングでは、無線ＬＡＮで使用する周波数帯域において、２つ以上のチャネルを束ねて通信することが可能となる。
【０１３８】
移動局が基地局に送信する送信情報にＷｉＦｉに関する情報が含まれている場合、ＷｉＦｉのエリアをカバーするセルとの間でキャリアアグリゲーションを行われてもよい。キャリアアグリゲーションを行わず、ＷｉＦｉのエリアをカバーするセルに対して、所定の通信のみを切り替えてもよい。
【０１３９】
また、上記実施形態では、ＬＴＥ方式の無線通信システムに関して説明されたが、様々な実施形態の方法および装置のうちの少なくともいくつかは、多くの非LTEおよび/または非セルラーシステムを含む広範囲の通信システムに適用可能である。例えば、上記実施形態は、ＵＭＴＳ  （Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式であってもよい。また、上記実施形態は、上り回線と下り回線で異なる周波数を同時に使用するＦＤＤ  （Ｆｒｅｑｕｅｎｃｙ  Ｄｉｖｉｓｉｏｎ  Ｄｕｐｌｅｘ）方式を採用する無線通信システムであってもよい。また、上記実施形態は、上り回線と下り回線で同一の周波数を異なる時間で使用するＴＤＤ  （Ｔｉｍｅ  Ｄｉｖｉｓｉｏｎ  Ｄｕｐｌｅｘ）方式を採用する異なる無線通信システム（例えばＷｉＦｉ、ＷｉＭＡＸ（Worldwide interoperability for Microwave Access）、ＩＥＥＥ  ８０２．１６ｍ）であってもよい。
【０１４０】
上記例示的な実施形態は、ダウンリンクのＣＡだけでなくアップリンクのＣＡについても適用可能である。
【０１４１】
上記実施形態におけるスモールセルとは、基地局が送信する低送信電力によって形成される狭いカバレッジエリア（セル）を示す。上記実施形態において、スモールセルはマクロセルにオーバレイされているとしたが、セル間の配置関係はこれに限らず、スモールセルはマクロセルよりも小さいマイクロセルにオーバレイされてもよいし、マクロセルにオーバレイされておらず、マクロセルのカバレッジ外となるエリアをカバーする関係であってもよい。なお、スモールセル基地局は、例えば、端末が密集するホットスポットや、無線品質が劣悪な場合が多い屋内に設けられてもよい。
【０１４２】
上述した周波数バンドとは任意の周波数帯域の少なくとも一つを含み得る。例えば、８００ＭＨｚ帯や２ＧＨｚ帯などのすでに運用されている周波数帯域に加えて、３．５GHz帯などの高周波数帯域であってもよく、これらに限定されない。例えば、高周波数帯域が選択される場合、より高速かつ大容量の通信が可能となる。
【０１４３】
また、キャリアアグリゲーションのコンポーネントキャリアの例のように、特定周波数帯域に含まれる所定の帯域幅のことを、周波数バンドと呼んでもよい。例えば、選択される周波数バンドは、通信規格ごとまたはオペレーターごとに割当てられた周波数帯域であってもよい。
【０１４４】
上述した移動局は、無線端末、移動端末またはユーザ端末（またはユーザ）と呼ぶこともできる。また、端末は、システム、加入者ユニット、加入者局、移動局、ワイヤレス端末、モバイルデバイス、ノード、デバイス、リモート局、リモート端末、ワイヤレス通信デバイス、ワイヤレス通信デバイス、ワイヤレス通信装置またはユーザエージェントの機能性の一部または全部を含み得る。端末は、セルラー電話、コードレス電話、セッション開始プロトコル(SIP)電話、スマートフォン、ワイヤレスローカルループ(WLL)局、携帯情報端末(PDA)、ラップトップ、タブレット、ネットブック、スマートブック、ハンドヘルド通信デバイス、ハンドヘルドコンピューティングデバイス、衛星無線、ワイヤレスモデムカードおよび/またはワイヤレスシステムを介して通信する別の処理デバイスでよい。なお、上記実施形態において、端末の操作者が１台の端末を所有している例が示されたが、これに限られない。１台の端末は、複数の操作者によって共有される場合であってもよい。
【０１４５】
また、基地局は、1つまたは複数のワイヤレス端末との通信に使用することができ、アクセスポイント、ノード、進化型ノードB(eNB)、または他の何らかのネットワークエンティティの機能性の一部または全部を含み得る。基地局は、エアインターフェースを介してUEと通信する。この通信は、1つまたは複数のセクタを通って起こり得る。基地局は、受信したエアインターフェースフレームをIPパケットに変換することによって、UEと、インターネットプロトコル(IP)ネットワークを含み得るアクセスネットワークの残りとの間のルータとして作用し得る。基地局は、エアインターフェース用の属性の管理を調整することもでき、ワイヤードネットワークとワイヤレスネットワークとの間のゲートウェイであってもよい。
【０１４６】
また、上記の移動局、基地局、無線通信システムは、ハードウェア、ソフトウェア又はこれらの組み合わせにより実現することができる。また、上記の移動局、基地局及び無線通信システムに関する通信方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１４７】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Compact Disc − Read Only Memory）、ＣＤ−Ｒ（Compact Disc − Recordable）、ＣＤ−Ｒ／Ｗ（Compact Disc − Rewritable）、ＤＶＤ−ＲＯＭ（Digital Versatile Disc − ROM）、ＤＶＤ−Ｒ（Digital Versatile Disc − Recordable）、ＤＶＤ−Ｒ／Ｗ（Digital Versatile Disc − Rewritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory）)を含む。
【０１４８】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１４９】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１５０】
＜付記＞
前述の例示的な実施形態の一部または全部は、以下の各付記のようにも記載することができる。しかしながら、以下の各付記は、あくまでも、本発明の単なる例示に過ぎず、本発明は、かかる場合のみに限るものではない。
（付記１）
無線通信システムであって、
移動局と、
第１の搬送波周波数の第１のセルと、第２の搬送波周波数の第２のセルとを有する基地局とを有し、
前記移動局は、
前記第１のセルを用いて前記基地局との無線通信が行われているときに、
前記第１のセルと前記第２のセルとを用いて前記無線通信を行うために必要な入力情報を入力し、
前記入力情報に基づいて生成される送信情報を送信する、
前記基地局は、
前記送信情報を受信する、
無線通信システム。
（付記２）
第１の搬送波周波数の第１のセルを用いて基地局との無線通信が行われているときに、
前記第１のセルと、第２の搬送波周波数の第２のセルとを用いて前記無線通信を行うために必要な入力情報を入力するように構成されたユーザインタフェースと、
前記入力情報に基づいて生成される送信情報を送信するように構成される送信機と、
を有する移動局。
（付記３）
前記入力情報が入力される前に、
前記ユーザインタフェースに、前記入力情報の入力を促すための情報が出力される、
付記２に記載の移動局。
（付記４）
前記第２のセルは、
少なくとも一つの候補となる候補セルの中から選択され、
前記選択が行われる前に、
前記ユーザインタフェースに、前記候補セルに関する情報が出力される、
付記２または３に記載の移動局。
（付記５）
前記候補セルにおいて送信される信号の品質を測定するための測定情報を受信するように構成される受信機を有する、
付記４に記載の移動局。
（付記６）
前記測定情報は、
前記基地局から前記移動局に送信される個別情報と
ダウンリンクにおいて送信される報知情報と
の少なくとも一方に含められる、
付記５に記載の移動局。
（付記７）
前記測定情報は、
前記候補セルにおいて送信される参照信号を発見するための情報を含む、
付記５または６に記載の移動局。
（付記８）
前記入力情報の入力をスキップさせるためのフラグ情報が前記個別情報に含まれるとき、
前記入力情報の入力をスキップし、
前記フラグ情報に基づき前記送信情報が生成される、
付記６または７に記載の移動局。
（付記９）
前記送信情報は、
前記第２のセルにおいて送信される信号の品質の測定結果を含む、
付記２乃至８のいずれか一項に記載の移動局。
（付記１０）
前記送信情報は、
前記基地局に対して、前記無線通信のために前記第２のセルを用いることを要求する要求情報を含む、
付記２乃至９のいずれか一項に記載の移動局。
（付記１１）
前記入力情報は、
前記第２のセルのカバレッジエリア内に所定時間以上の間、前記移動局が存在することを示す情報を含む、
付記２乃至１０のいずれか一項に記載の移動局。
（付記１２）
第１の搬送波周波数の第１のセルを用いて移動局との無線通信が行われているときに、
前記移動局において入力され、前記第１のセルと第２の搬送波周波数の第２のセルとを用いて前記無線通信を行うために必要な入力情報
に基づいて生成された送信情報を受信するように構成される受信機と、
を有する基地局。
（付記１３）
前記移動局が前記入力情報を入力する処理をスキップさせるため情報を、前記移動局に対して、送信するように構成される送信機を有する、
付記１２に記載の基地局。
（付記１４）
前記送信機は、
前記移動局に対して、前記第２のセルの受信品質を測定するための測定情報を送信する、
付記１３に記載の基地局。
（付記１５）
前記測定情報は、
前記移動局に対して送信される個別情報と
ダウンリンクの報知情報と
の少なくとも一方に含まれる、
付記１４に記載の基地局。
（付記１６）
前記測定情報は、
前記第２のセルにおいて送信される参照信号を発見するための情報を含む、
付記１４または１５に記載の基地局。
（付記１７）
前記参照信号を発見するための情報は、
前記参照信号の送信周期、
前記参照信号の送信が開始されるタイミング、及び
前記参照信号が送信される期間、
の少なくとも一つを含む、
付記１６に記載の基地局。
（付記１８）
前記送信情報は、
前記移動局が前記無線通信のために前記第２のセルを用いることを要求することを示す要求情報を含む、
付記１２乃至１７のいずれか一項に記載の基地局。
（付記１９）
第１の搬送波周波数の第１のセルを用いて基地局との無線通信が行われているときに、
前記第１のセルと、第２の搬送波周波数を用いる第２のセルを前記無線通信に用いるために必要な入力情報を入力させるための表示を行うユーザインタフェース。
（付記２０）
前記ユーザインタフェースは、
前記入力情報が入力される前に、
前記入力情報の入力を促すための情報を出力する、
付記１９に記載のユーザインタフェース。
（付記２１）
前記第２のセルは、
少なくとも一つの候補となる候補セルの中から選択され、
前記ユーザインタフェースは、
前記選択が行われる前に、
前記候補セルに関する情報を出力する、
付記１９または２０に記載のユーザインタフェース。
（付記２２）  前記入力情報が入力される前に、
前記移動局のユーザインタフェースに、前記入力情報の入力を促すための情報が出力される、
付記１に記載の無線通信システム。
（付記２３）
前記第２のセルは、
少なくとも一つの候補となる候補セルの中から選択され、
前記選択が行われる前に、
前記ユーザインタフェースに、前記候補セルに関する情報が出力される、
付記２２に記載の無線通信システム。
（付記２４）
前記移動局が、前記入力情報の入力をスキップさせるためのフラグ情報を受信した場合、
前記入力情報の入力をスキップし、
前記フラグ情報に基づき前記送信情報が生成される、
付記１、２２及び２３のいずれか一項に記載の無線通信システム。
（付記２５）
移動局と、第１の搬送波周波数の第１のセルと、第２の搬送波周波数の第２のセルとを有する基地局とを有する無線通信システムの通信方法であって、
前記第１のセルを用いて前記移動局と前記基地局との無線通信が行われているときに、
前記第１のセルと前記第２のセルとを用いて前記無線通信を行うために必要な入力情報を入力し、
前記入力情報に基づいて生成される送信情報を送信する、
無線通信システムの通信方法。
（付記２６）
前記入力情報が入力される前に、
前記入力情報の入力を促すための情報を出力する、
付記２５に記載の無線通信システムの通信方法。
（付記２７）
前記第２のセルは、
少なくとも一つの候補となる候補セルの中から選択され、
前記選択が行われる前に、
前記候補セルに関する情報を出力する、
付記２５または２６に記載の無線通信システムの通信方法。
（付記２８）
前記入力情報の入力をスキップさせるためのフラグ情報を受信した場合、
前記入力情報の入力をスキップし、
前記フラグ情報に基づき前記送信情報が生成される、
付記２５乃至２７のいずれか一項に記載の無線通信システムの通信方法。
（付記２９）
第１の搬送波周波数の第１のセルを用いて基地局との無線通信が行われているときに、
前記第１のセルと、第２の搬送波周波数の第２のセルとを用いて前記無線通信を行うために必要な入力情報を入力し、
前記入力情報に基づいて生成される送信情報を送信する、
を有する移動局の通信方法。
（付記３０）
前記入力情報が入力される前に、
前記入力情報の入力を促すための情報を出力する、
付記２９に記載の移動局の通信方法。
（付記３１）
前記第２のセルは、
少なくとも一つの候補となる候補セルの中から選択され、
前記選択が行われる前に、
前記候補セルに関する情報を出力する、
付記２９または３０に記載の移動局の通信方法。
（付記３２）
前記入力情報の入力をスキップさせるためのフラグ情報を受信した場合、
前記入力情報の入力をスキップし、
前記フラグ情報に基づき前記送信情報が生成される、
付記２９乃至３１のいずれか一項に記載の移動局の通信方法。
（付記３３）
第１の搬送波周波数の第１のセルと第２の搬送波周波数の第２のセルとを有する基地局の通信方法であって、
前記第１のセルを用いて移動局との無線通信が行われているときに、
前記移動局にて入力され、前記第１のセルと前記第２のセルとを用いて前記無線通信を行うために必要な入力情報に基づいて生成された送信情報を受信する、
基地局の通信方法。
（付記３４）
前記移動局が前記入力情報を入力する処理をスキップさせるため情報を、前記移動局に対して、送信する、
付記３３に記載の基地局の通信方法。
（付記３５）
第１の搬送波周波数を用いる第１のセルを用いて基地局との無線通信が行われているときに、
前記第１のセルと、第２の搬送波周波数を用いる第２のセルを前記無線通信に用いるために必要な入力情報を入力させるための表示を行う、
表示方法。
（付記３６）
前記表示を行うことは、
前記入力情報が入力される前に、
前記入力情報の入力を促すための情報を出力すること、
を含む、
付記３５に記載の表示方法。
（付記３７）
前記第２のセルは、
少なくとも一つの候補となる候補セルの中から選択され、
前記表示を行うことは、
前記選択が行われる前に、
前記候補セルに関する情報を出力すること、
を含む、
付記３５または３６に記載の表示方法。
（付記３８）
第１の搬送波周波数の第１のセルを用いて基地局との無線通信が行われているときに、
前記第１のセルと、第２の搬送波周波数の第２のセルとを用いて前記無線通信を行うために必要な入力情報を入力し、
前記入力情報に基づいて生成される送信情報を送信する、
ことをコンピュータに実行させるプログラム。
（付記３９）
前記入力情報が入力される前に、
前記入力情報の入力を促すための情報を出力することをコンピュータに実行させる、
付記３８に記載のプログラム。
（付記４０）
前記第２のセルは、
少なくとも一つの候補となる候補セルの中から選択され、
前記選択が行われる前に、
前記候補セルに関する情報を出力することをコンピュータに実行させる、
付記３８または３９に記載のプログラム。
（付記４１）
前記入力情報の入力をスキップさせるためのフラグ情報を受信した場合、
前記入力情報の入力をスキップし、
前記フラグ情報に基づき前記送信情報が生成されることをコンピュータに実行させる、
付記３８乃至４０のいずれか一項に記載のプログラム。
【０１５１】
さらに、本発明は上述した実施の形態のみに限定されるものではなく、既に述べた本発明の要旨を逸脱しない範囲において種々の変更が可能であることは勿論である。本明細書で説明したそれぞれの実施形態による機能またはステップおよび/または動作は特定の順序で実行しなくてもよい。さらに、本発明の要素は、単数形で説明または請求されていることがあるが、単数形に限定することが明示的に述べられていない限り、複数形であってもよい。
この出願は、２０１５年１２月１５日に出願された日本出願特願２０１５−２４４２７３を基礎とする優先権を主張し、その開示の全てをここに取り込む。
【符号の説明】
【０１５２】
１  移動局
２  基地局
１１  受信機
１２  ユーザインタフェース
１３  出力デバイス
１４  メモリ
１５  プロセッサ
１６  送信機
２１  Ｐセル
２２  Ｓセル
２３  送信機
２４  メモリ
２５  プロセッサ
２６  受信機
１００  移動局
１０１  ユーザインタフェース
１０２  送信機
２００  基地局
２０１  第１のセル
２０２  第２のセル
２０３  受信機
２０４  プロセッサ
【図１】
2017104644.tif 000003
【図２】
2017104644.tif 000004
【図３】
2017104644.tif 000005
【図４】
2017104644.tif 000006
【図５】
2017104644.tif 000007
【図６】
2017104644.tif 000008
【図７】
2017104644.tif 000009
【図８】
2017104644.tif 000010
【図９】
2017104644.tif 000011
【図１０】
2017104644.tif 000012
【図１１】
2017104644.tif 000013
【図１２】
2017104644.tif 000014
【国際調査報告】
2017104644.tif 000015
2017104644.tif 000016
2017104644.tif 000017
2017104644.tif 000018